(57)【要約】【課題】ハンチングを抑制しながら、できるだけ迅速に作業装置の左右傾斜姿勢を目標姿勢にすることが可能なローリング制御を行える作業機を提供する。【解決手段】左右傾斜姿勢を変更自在に走行機体に連結された作業装置と、作業装置の左右傾斜姿勢を変更操作自在なローリング操作手段７と、作業装置の左右傾斜角を検出する傾斜角検出手段４２と、傾斜角検出手段４２にて検出される検出傾斜角と予め設定された設定傾斜角との偏差及び制御ゲインにより求めた制御目標値に基づいて、ローリング操作手段７を制御する制御手段４５とが備えられ、制御手段４５は、偏差が大きいほど比例要素に対するゲインを小さくするようになっている。【選択図】図５
2015177753.tif 000002
【特許請求の範囲】
【請求項１】
左右傾斜姿勢を変更自在に走行機体に連結された作業装置と、
前記作業装置の左右傾斜姿勢を変更操作自在なローリング操作手段と、
前記作業装置の左右傾斜角を検出する傾斜角検出手段と、
前記傾斜角検出手段にて検出される検出傾斜角と予め設定された設定傾斜角との偏差及びその偏差に対する制御ゲインにより制御目標値を求め、その制御目標値に基づいて前記ローリング操作手段を制御する制御手段とが備えられ、
前記制御手段は、前記偏差が大きいほど前記制御ゲインを小さくする形態で前記制御目標値を求める作業機。
【請求項２】
前記制御手段は、前記傾斜角検出手段の検出値に基づいて大きな偏差が求められた時点から設定時間が経過する間だけ、前記制御ゲインを小さくする請求項１記載の作業機。
【請求項３】
前記制御手段は、前記偏差の大きさに応じて前記制御ゲインの基準値からの低減量を定め、且つ、前記偏差を求めた時点から前記設定時間が経過するまでの間、前記低減量を漸次、小さくさせる請求項２記載の作業機。
【請求項４】
前記制御手段は、
前記偏差と前記制御ゲインとにより求めた比例要素、及び、前記偏差を積分した積分値により求めた積分要素により前記制御目標値を求める請求項１〜３のいずれか１項に記載の作業機。
【請求項５】
前記ローリング操作手段が、融通用スプリングを介して前記作業装置に接続されている請求項１〜４のいずれか１項に記載の作業機。
【請求項６】
前記作業装置が、走行機体の後部にリンク機構を介して、作業用低位置と非作業用高位置とにわたって昇降自在に連結されている請求項５記載の作業機。
【発明の詳細な説明】
【技術分野】
【０００１】
本発明は、作業機に関し、詳しくは、走行機体に左右傾斜姿勢を変更自在に作業装置が連結され、作業装置の左右傾斜姿勢を変更操作自在なローリング操作手段を備えた作業機に関する。
【背景技術】
【０００２】
作業機の一例である乗用型田植機において、従来では、次のように構成されたものがあった。
すなわち、走行機体に対して、左右傾斜姿勢を変更自在に作業装置としての苗植付装置が連結され、苗植付装置の左右傾斜姿勢が目標姿勢から変化した場合には、融通用のスプリングを介して接続されたローリング操作手段（電動モータ）により強制的に姿勢を修正するようになっている。すなわち、走行機体に対する苗植付装置の左右傾斜角を検出する傾斜角センサと、電動モータの作動を制御する制御装置とが備えられ、制御装置が、傾斜角センサにて検出される苗植付装置の左右傾斜角と予め設定された目標傾斜角との偏差を求め、その偏差に対応した制御目標値にてローリング操作手段としての電動モータを作動させるローリング制御を実行するように構成されていた（例えば、特許文献１参照）。特許文献１には、詳細な説明はないが、偏差に予め設定されている制御ゲインを掛けて制御目標値を求めるようになっており、制御ゲインは常に一定値に設定されていた。
【先行技術文献】
【特許文献】
【０００３】
【特許文献１】特開平１１−４６５２７号公報
【発明の概要】
【発明が解決しようとする課題】
【０００４】
上記従来構成は、傾斜角センサにて検出される作業装置（苗植付装置）の左右傾斜角と目標傾斜角との偏差が小さくなるように、偏差に対応した制御目標値にてローリング操作手段（電動モータ）を作動させるものであるから、偏差が零又は略零となる目標姿勢から何等かの理由により作業装置が大きく姿勢変化した場合、大きな偏差に対応した大きい制御目標値にてローリング操作手段を作動させることにより、できるだけ早く目標姿勢に戻すことができる。
【０００５】
例えば、走行機体が走行する走行路面に大きめの凹凸が存在し、その地面の凹凸により走行機体が左右に揺れ動くこと等に起因して作業装置の左右傾斜姿勢が変化したときには、上記したようなローリング制御が作動することで姿勢を修正することになる。
【０００６】
しかし、上記したようなローリング制御構成では、作業装置の左右傾斜姿勢が大きく変化して偏差が大きくなると、それに対応して制御目標値が大きくなり、作業装置が素早く目標姿勢に戻ろうとするが、急激な姿勢変化によりオーバーシュートして目標姿勢を越えて反対側に向けて大きく姿勢変化することがあり、このようなことを繰り返してハンチングが起こるおそれがある。特に、ローリング操作手段が融通用のスプリングを介して作業装置に接続されるものでは、オーバーシュートが大きくなるおそれが大となっていた。
【０００７】
このようなハンチングを抑制するために、偏差に対応した制御目標値を算出するときの制御ゲインを予め小さい値に設定しておくことが考えられるが、そのようにすると、偏差が小さいときには、制御目標値が小さくなりローリング操作手段の操作量が不十分となって、時間が経過してもいつまでも作業装置が目標姿勢に至らずに定常偏差（残留偏差）が生じるおそれがある。
【０００８】
そこで、ハンチングを抑制しながら、できるだけ迅速に作業装置の左右傾斜姿勢を目標姿勢にすることが可能なローリング制御を行える作業機が望まれている。
【課題を解決するための手段】
【０００９】
本発明に係る作業機の特徴構成は、
左右傾斜姿勢を変更自在に走行機体に連結された作業装置と、
前記作業装置の左右傾斜姿勢を変更操作自在なローリング操作手段と、
前記作業装置の左右傾斜角を検出する傾斜角検出手段と、
前記傾斜角検出手段にて検出される検出傾斜角と予め設定された設定傾斜角との偏差及びその偏差に対する制御ゲインにより制御目標値を求め、その制御目標値に基づいて前記ローリング操作手段を制御する制御手段とが備えられ、
前記制御手段は、前記偏差が大きいほど前記制御ゲインを小さくする形態で前記制御目標値を求める点にある。
【００１０】
本発明によれば、制御手段は、前記傾斜角検出手段にて検出される検出傾斜角と予め設定された設定傾斜角との偏差及びその偏差に対する制御ゲインにより制御目標値を求め、その制御目標値に基づいてローリング操作手段を制御する。そして、偏差が大きいほど制御ゲインを小さくする形態で制御目標値を求めることになる。
【００１１】
このように、制御手段は、検出傾斜角と設定傾斜角との偏差が大きいほど偏差に対する制御ゲインが小さくなるので、作業装置の左右傾斜姿勢が大きく変化して偏差が大きくなった場合に、偏差に基づいて求められる制御目標値が小さい値になる。その結果、作業装置は緩やかに目標姿勢に向けて姿勢変更操作されることになり、急激な姿勢変化によるオーバーシュートにて目標姿勢を越えて反対側に向けて大きく姿勢変化するおそれが少なく、ハンチングの発生を抑制することができる。
【００１２】
又、偏差が小さい場合には、制御ゲインは大きめの値になるので、偏差の大きさの割には大きめの制御目標値が求められることになる。つまり、制御目標値が小さ過ぎて定常偏差が発生する等の不利を回避して、作業装置の左右傾斜姿勢を設定傾斜角に対応する目標姿勢に向けてできるだけ迅速に変更操作することが可能となる。
【００１３】
従って、ハンチングを抑制しながら、できるだけ迅速に作業装置の左右傾斜姿勢を目標姿勢にすることが可能なローリング制御を行える作業機を提供できるに至った。
【００１４】
本発明においては、前記制御手段は、前記傾斜角検出手段の検出値に基づいて大きな偏差が求められた時点から設定時間が経過する間だけ、前記制御ゲインを小さくすると好適である。
【００１５】
例えば、地面の凹凸により走行機体が左右に揺れ動くこと等に起因して、作業装置の左右傾斜姿勢が大きく変化したような場合には、大きな偏差が求められることになるが、このような大きな偏差が求められるのは一時的であり、その後は、偏差は徐々に小さくなることが想定される。
【００１６】
そこで、本構成によれば、傾斜角検出手段の検出値に基づいて大きな偏差が求められた時点から設定時間が経過する間だけ、制御ゲインを小さくするようにした。その結果、作業装置の姿勢が大きく変動した直後においては、制御ゲインを小さくすることで、急激な姿勢変化によるオーバーシュートを少なくしてハンチングを抑制することができ、その後、作業装置の姿勢が安定して偏差が小さい値になると、急激な姿勢変化によるオーバーシュートのおそれは少ないから、制御ゲインを大きめにすることで、迅速な姿勢の修正操作を行えるものとなる。
【００１７】
本発明においては、前記制御手段は、前記偏差の大きさに応じて前記制御ゲインの基準値からの低減量を定め、且つ、前記偏差を求めた時点から前記設定時間が経過するまでの間、前記低減量を漸次、小さくさせると好適である。
【００１８】
本構成によれば、大きな偏差が求められた時点においては、制御ゲインの基準値からの低減量として大きめの低減量が定められるので、制御ゲインが小さい値になりハンチングを抑制することができる。そして、上述したように、地面の凹凸により走行機体が左右に揺れ動くこと等に起因して、作業装置の左右傾斜姿勢が大きく変化したような場合には、その後は、走行機体の姿勢が徐々に安定していき、偏差も徐々に小さい値に変化していくことが想定されるので、制御ゲインの低減量を漸次小さくすることで、作業装置の姿勢変化に応じた適切な制御状態にて姿勢の修正操作を行えるものとなる。
【００１９】
本発明においては、前記制御手段は、前記偏差と前記制御ゲインとにより求めた比例要素、及び、前記偏差を積分した積分値により求めた積分要素により前記制御目標値を求めると好適である。
【００２０】
本発明によれば、制御手段は、傾斜角検出手段にて検出される検出傾斜角と予め設定された設定傾斜角との偏差に対応する比例要素と、偏差を積分した積分値に対応する積分要素とにより制御目標値を求め、その制御目標値に基づいて前記ローリング操作手段を制御する。
【００２１】
つまり、偏差に対応する比例要素に加えて、偏差を積分した積分値に対応する積分要素を加味して制御目標値を求めるようにしたので、定常偏差が生じることがあっても、その偏差が積分されることにより積分要素が求められ、その積分要素によりその定常偏差を修正するように制御目標値が求められて、ローリング操作手段を制御することができる。つまり、制御ゲインを変更することに加えて積分要素を加味することによって一層的確に、定常偏差を無くすように制御することができ、できるだけ迅速に作業装置の左右傾斜姿勢を目標姿勢にすることが可能となる。
【００２２】
本発明においては、前記ローリング操作手段が、融通用スプリングを介して前記作業装置に接続されていると好適である。
【００２３】
本構成によれば、ローリング操作手段と作業装置とが融通用スプリングを介して接続されているので、ローリング操作手段の操作状態が同じであっても、融通用スプリングの伸縮量に対応した融通分だけ作業装置が自由に左右傾斜姿勢を変更することができる。
【００２４】
その結果、作業装置が接地追従可能なものであれば、接地追従させることで融通用スプリングを伸縮させながら作業装置の姿勢を修正することが可能であり、圃場の細かな凹凸に対応した細かな姿勢変動に伴ってローリング操作手段を頻繁に作動させることを回避しながら、大きく姿勢変化したときにはローリング操作手段の作動により迅速に対応することで、滑らかな制御を行うことが可能となる。
【００２５】
本発明においては、前記作業装置が、走行機体の後部にリンク機構を介して、作業用低位置と非作業用高位置とにわたって昇降自在に連結されていると好適である。
【００２６】
本構成によれば、作業装置が作業用低位置にあるときは、接地追従させることで融通用スプリングを伸縮させながら作業装置の姿勢を修正することが可能でローリング操作手段を頻繁に作動させることを回避できる。そして、作業装置が非作業用高位置にあれば、接地追従させることができないので、走行機体の姿勢変動に伴って作業装置が姿勢変動するが、このときは、偏差が大きいほど比例要素に対する制御ゲインを小さくしてローリング操作手段を作動させるので、ハンチングを抑制しながら、できるだけ迅速に作業装置を目標姿勢に戻すことができる。
【図面の簡単な説明】
【００２７】
【図１】乗用型田植機の全体側面図である。
【図２】苗植付装置の側面図である。
【図３】苗植付装置の背面図である。
【図４】ローリングモータ配設部の切欠き側面図である。
【図５】ローリング制御用の構成を示すブロック図である。
【図６】制御動作のフローチャートである。
【図７】制御動作のフローチャートである。
【発明を実施するための形態】
【００２８】
以下、本発明に係る作業機の実施形態を作業機の一例としての乗用型田植機に適用した場合について図面に基づいて説明する。
【００２９】
図１に示すように、乗用型田植機は、左右一対の前輪１と左右一対の後輪２とを備えた走行機体３の後部に、リンク機構４を介して昇降自在に且つ左右傾斜姿勢を変更可能に作業装置としての苗植付装置５が連結されている。つまり、苗植付装置５は、リフトシリンダ６により、田面上に接地して苗植付け作業を行う作業用低位置と、田面から大きく上方に上昇した非作業用高位置とにわたって昇降操作自在に走行機体３に支持されている。又、苗植付装置５は、後述するローリング操作手段としてローリング操作用の電動モータ７（以下、ローリングモータと略称する）により左右傾斜姿勢を変更操作自在に走行機体３に支持されている。
【００３０】
走行機体３は、機体前部のボンネット８内にエンジン９が備えられ、機体後部側に運転者が搭乗して運転操作する運転部１０が備えられている。運転部１０には、運転者が着座する運転座席１１の前方に位置してボンネット８に連なる状態でハンドルポスト１２が備えられ、そのハンドルポスト１２の上部にステアリングハンドル１３が備えられている。
【００３１】
そして、エンジン９の動力が、運転部ステップ１４の下方に備えられたミッションケース１５を介して、前輪１及び後輪２に伝達されて走行するように構成されている。前輪１はステアリングハンドル１３の操作により操向操作自在に設けられ、後輪２は向き固定状態で設けられている。
【００３２】
走行機体３の後部には、苗植付作業に伴って田面に肥料を供給する施肥装置１６が備えられている。施肥装置１６には、肥料を貯留する貯留タンク１７、貯留タンク１７に貯留される肥料を所定量ずつ下方に繰出す繰出し機構１８、繰出された肥料を苗植付装置５の下部に備えられた作溝器１９に案内するホース２０、ホース２０に向けて肥料案内用の風を供給する電動ブロア２１等が備えられている。
【００３３】
苗植付装置５には、図２，３に示すように、苗植付装置５全体を支持する角パイプ状のメインフレーム２２が機体横幅方向に沿って長尺状に延設され、メインフレーム２２における横幅方向中央部にフィードケース２３が連結されている。そして、そのフィードケース２３がリンク機構４における後リンク部材４ａの下部に前後方向に向かうローリング支点Ｐ周りに揺動自在に連結されるとともに、後リンク部材４ａの上部に備えたローリングモータ７によって、苗植付装置５の左右傾斜姿勢を変更可能に構成されている。従って、苗植付装置５は、リンク機構４を介して左右傾斜角を変更自在に走行機体３に連結されている。
【００３４】
苗植付装置５には、機体横幅方向に沿って間隔をあけてメインフレーム２２に連結され且つ後方に延設される状態で複数の植付伝動ケース２４が備えられ、その植付伝動ケース２４の後部の左右両側には、両端部に植付爪２５を備えた植付ケース２６が横軸芯周りで回転自在に支持されている。
【００３５】
苗植付装置５には、マット苗が搭載されるとともに横送り機構２７によって一定ストロークで往復横移動する苗載せ台２８が備えられている。図３に示すように、メインフレーム２２から立設された左右一対の支柱２９に亘って横枠３０が架橋連結され、苗載せ台２８の背部（前部側）に横架固定した支持枠３１が、横枠３０の左右複数箇所に備えた案内部材３２によって横移動可能に係合支持されている。又、苗載せ台２８の下端部は、植付伝動ケース２４に固定された摺動レール３３により横移動可能に支持されている。
【００３６】
苗植付装置５の下部には、メインフレーム２２にて支持された支持アーム３４の先端部に横軸芯周りで上下揺動自在に支持される状態で整地フロート３５が備えられている。整地フロート３５は、図３に示すように、田面上の複数の植付け箇所を均平整地するように、機体横幅方向に並ぶ状態で複数備えられている。尚、整地フロート３５の機体前部側は、図示しない規制機構によって所定範囲内で上下揺動可能なように支持されている。
【００３７】
そして、伝動軸３６を介して走行機体３側からフィードケース２３内部の図示しない伝動機構に動力が伝達され、その動力が植付ケース２６や横送り機構２７等に伝達されて、走行機体３が走行するのに伴って、植付ケース２６が回転して植付爪２５により苗載せ台２８上のマット苗を１株ずつ取り出して田面に植付けることができるように構成されている。
【００３８】
図４に示すように、ローリングモータ７は、リンク機構４の後端上部に連結したブラケット３７に連結固定されており、ブラケット３７には、前後向きの支軸３８の軸芯周りで左右揺動自在に駆動アーム３９が支持されている。そして、ローリングモータ７の出力軸７ａと駆動アーム３９とがギヤ減速機構４０を介して連動連結されている。
【００３９】
図３に示すように、苗載せ台２８の背部（機体前部側）に位置する横枠３０の左右箇所と駆動アーム３９の遊端とが融通用スプリング４１を介して接続されており、苗植付装置５は駆動アーム３９に対して弾性融通をもって所定小範囲で自由ローリング可能に支持されている。従って、苗植付装置５が整地フロート３５を介して接地している状態では、走行機体３が多少左右傾斜しても苗植付装置５は田面に接地追従しながら自由ローリングして、田面と平行な姿勢に維持される。
【００４０】
ローリングモータ７は、苗植付装置５に装備された傾斜角検出手段としての傾斜角センサ４２からの検出情報に基づいて作動制御され、走行機体３が耕盤の凹凸等によって左右に傾斜して苗植付装置５が傾斜しようとしても、その傾斜を復元させる方向に苗植付装置５がローリング制御されて、常に目標傾斜角度に安定的に維持されるようになっている。
【００４１】
また、図３に示すように、リンク機構４の後端上部に連結したブラケット３７と苗載せ台２８の背面における支持枠３１の左右箇所とに亘ってローリング復帰用バネ４３が張設されており、苗載せ台２８の往復横移動によって移動方向側のローリング復帰用バネ４３が伸ばされることで、苗載せ台２８の横移動に伴うローリング支点Ｐ周りの重量バランスの崩れを是正する方向の回動力が作用するようになっている。
【００４２】
図５に示すように、苗植付装置５の左右傾斜角（絶対水平姿勢からの傾斜角度）を検出する重力式の傾斜角センサ４２と、苗植付装置５の目標傾斜角を設定するための回動操作式ボリュームからなる目標角設定器４４と、傾斜角センサ４２からの検出信号に基づいて検出される苗植付装置５の左右傾斜角が目標傾斜角になるようにローリングモータ７の作動を制御する制御手段としてのマイクロコンピュータからなる制御装置４５と、制御装置４５の制御信号に基づいてローリングモータ７を駆動するモータ駆動回路４６とが備えられている。
【００４３】
図２に示すように、傾斜角センサ４２は、フィードケース２３の上部に連結固定されたブラケット４７に取り付けられている。又、目標角設定器４４、制御装置４５、及び、モータ駆動回路４６の夫々は、１つのコントロールボックス４８内に収納されて運転部１０に備えられている。
【００４４】
つまり、図１に示すように、ハンドルポスト１２の上部に形成された操作パネル４９におけるステアリングハンドル１３の横側箇所にコントロールボックス４８が取り付けられている。コントロールボックス４８に目標角設定器４４、制御装置４５、及び、モータ駆動回路４６の夫々が内装する状態で組み込まれている。従って、目標角設定器４４がステアリングハンドル１３の近くにあるので、運転者は、機体を運転操作している途中であっても、目標角設定器４４を操作し易いものになっている。
【００４５】
制御装置４５は、傾斜角センサ４２にて検出される検出傾斜角と目標角設定器４４により予め設定された設定傾斜角としての目標傾斜角との偏差に対応する比例要素と、その偏差を積分した積分値に対応する積分要素とにより求めた制御目標値に基づいて、ローリングモータ７を制御するように構成されている。そして、このようにローリングモータ７を制御するローリング制御を実行するときに、偏差が大きいほど比例要素に対するゲインを小さくするように構成されている。
【００４６】
すなわち、制御装置４５は、ローリングモータ７を操作するときの制御目標値Ｘを式１に基づいて演算する。ここで、式１における第１項が比例要素（Ｐ要素）に対応し、第２項が積分要素（Ｉ要素）に対応しており、いわゆるＰＩ制御を実行することになる。
【００４７】
Ｘ＝Ａ１・Δｂ+Ａ２・∫Δｂ  （式１）
但し、「Ａ１」は第１制御ゲイン、「Δｂ」は検出傾斜角と目標傾斜角との偏差、「Ａ２」は第２制御ゲイン、「∫Δｂ」は偏差の積分値である。尚、以下の説明では、「第１制御ゲインＡ１」を「Ｐゲイン」と称する場合がある。
【００４８】
制御目標値Ｘとしては、具体的には、モータ駆動回路４６によるローリングモータ７に対する出力電圧が設定されることになる。
【００４９】
そして、制御装置４５は、傾斜角センサ４２の検出値に基づいて大きな偏差が求められた時点から設定時間が経過する間だけ、比例要素に対するゲイン（第１制御ゲインＡ１）を小さくするように構成されている。さらに説明すると、制御装置４５は、偏差の大きさに応じて比例要素に対するゲイン（第１制御ゲインＡ１）の低減量を定め、且つ、偏差を求めた時点から設定時間が経過するまでの間、低減量を漸次、小さくさせるように構成されている。
【００５０】
以下、制御装置４５におけるローリング制御について、図６，７に基づいて、その具体的な制御動作について説明する。尚、制御装置４５は、図６，７に示すフローチャートの制御動作を設定単位時間毎に繰り返し実行する。
先ず、傾斜角センサ４２にて検出される苗植付装置５の現在の角度（傾斜角）と目標角設定器４４にて設定されている目標角度（目標傾斜角）との偏差Δｂを求める（ステップ１）。そして、偏差Δｂの大きさに応じて、第１制御ゲインＡ１に対する低減量であるＰゲイン低減量を計算する（ステップ２）。このとき、偏差が大きいほど第１制御ゲインＡ１を小さくする形態で低減量を求める。つまり、苗植付装置５の左右傾斜姿勢が大きく変化し、大きな偏差が求められたときには、制御目標値Ｘを求めるときの第１制御ゲインＡ１に対する低減量が大となり、比例要素（Ｐ要素）がそれだけ小さな値になる。
【００５１】
Ｐゲイン低減量について説明すると、第１制御ゲイン（Ｐゲイン）Ａ１の初期値としては、偏差が小さいときの状態に対応する基準値が予め初期設定されている。そして、偏差が大きいほど第１制御ゲインＡ１を小さくする形態、言い換えると、偏差が大きいほどＰゲイン低減量が大きな値となるように、Ｐゲイン低減量を計算するようにしている。
【００５２】
計算して求めたＰゲイン低減量が現在保持しているＰゲイン低減量よりも大であれば、その新たに求めたＰゲイン低減量に書き換えて保持し、現在保持しているＰゲイン低減量よりも小であれば、書き換えずに現在の値を保持する（ステップ３，４）。
【００５３】
偏差Δｂが予め設定されている不感帯の幅を越えて大きくなっており、苗植付装置５が目標姿勢から右下がり方向に傾斜している状態であれば（ステップ５）、左下げ出力開始カウンタをインクリメントする（ステップ６）とともに、右下げ出力開始カウンタをクリアする（ステップ７）。そして、今回の偏差を現在の積分値∫Δｂに加算して新たな積分値∫Δｂとして保持し（ステップ８）、新たな積分値∫Δｂが予め設定されている上限値を超えていれば、上限値を新たな積分値∫Δｂに変更する（ステップ９，１０）。つまり、積分値が大きくなり過ぎて過剰なローリング操作をしないようにしている。
【００５４】
又、偏差Δｂが不感帯の幅を越えて大きくなっており、苗植付装置５が目標姿勢から左下がり方向に傾斜している状態であれば（ステップ１１）、右下げ出力開始カウンタをインクリメントする（ステップ１２）とともに、左下げ出力開始カウンタをクリアする（ステップ１３）。そして、今回の偏差を現在の積分値∫Δｂに加算して新たな積分値∫Δｂとして保持し（ステップ１４）、新たな積分値∫Δｂが予め設定されている上限値を超えていれば、上限値を新たな積分値∫Δｂに変更する（ステップ１５，１６）。
【００５５】
偏差Δｂが不感帯の幅を越えていない状態、つまり、苗植付装置５が目標姿勢であるときは、右下げ出力開始カウンタ及び左下げ出力開始カウンタを夫々、クリアする（ステップ１７，１８）。
【００５６】
次に、右下げ出力開始カウンタの計数値が設定継続時間以上であれば右下げ出力を指示し（ステップ１９，２０）、左下げ出力開始カウンタが設定継続時間以上であれば右下げ出力を指示する（ステップ２１，２２）。右下げ出力開始カウンタ、及び、左下げ出力開始カウンタが夫々、設定継続時間に達していなければ、右下げ出力指示、及び、右下げ出力指示をクリアする（ステップ２３，２４）。
【００５７】
つまり、偏差が不感帯を越えて大きくなった場合であっても、そのような偏差が大きい状態が設定継続時間以上継続していなければ、傾斜角センサ４２の誤検出であったり、ノイズによる突発的な変位の検出等が考えられるので、その場合は、ローリング操作しないようにしている。
【００５８】
右下げ出力が指示されている場合には、そのときに設定されているＰゲインと現在の偏差とにより、制御目標値Ｘに対する比例要素（Ｐ要素）であるＰ出力を計算するとともに、第２制御ゲインと現在の積分値とにより、制御目標値Ｘに対する積分要素（Ｉ要素）であるＩ出力を計算し（ステップ２５，２６，２７）、Ｐ出力及びＩ出力が共に、右下げ出力に対応しているときは、それらを加算してローリングモータ７に対する出力電圧を算出する（ステップ２８，２９）。Ｐ出力及びＩ出力のいずれかが右下げ出力に対応していなければ、適切な情報ではないので、出力電圧はゼロに設定される（ステップ３０）。
【００５９】
左下げ出力が指示されている場合には、右下げ出力が指示されている場合と同様に、そのときに設定されているＰゲインと現在の偏差とにより、制御目標値Ｘに対する比例要素（Ｐ要素）であるＰ出力を計算するとともに、第２制御ゲインと現在の積分値とにより、制御目標値Ｘに対する積分要素（Ｉ要素）であるＩ出力を計算し（ステップ３１，３２，３３）、Ｐ出力及びＩ出力が共に、左下げ出力に対応しているときは、それらを加算して制御目標値Ｘに対応するローリングモータ７に対する出力電圧を算出する（ステップ３４，３５）。Ｐ出力及びＩ出力のいずれかが左下げ出力に対応していなければ、出力電圧はゼロに設定される（ステップ３６）。又、右下げ出力及び左下げ出力のいずれも指示されていないときは、出力電圧はゼロに設定される（ステップ３７）。
【００６０】
このようにして算出された出力電圧がローリングモータ７に供給され、苗植付装置５の左右傾斜姿勢変更操作が行われる。又、上述したように出力電圧を求めるときのＰゲインは、予め初期設定されている基準値から、そのときに設定されているゲイン低減量を引いた値が設定される。
【００６１】
そして、上述したような処理が繰り返し実行される設定単位時間が経過する毎に、ゲイン低減量を１％ずつ減少させる（ステップ３８）。つまり、偏差が大きく、大きなゲイン低減量が設定されたのち、設定単位時間が経過する毎に、ゲイン低減量を１％ずつ減少させるようにしてあり、設定経過時間が経過するとゼロにまで低下する。つまり、その大きいゲイン低減量が設定されたのちに、ゲイン低減量は徐々に小さくなるのであり、偏差を求めた時点から設定経過時間が経過するまでの間、低減量を漸次、小さくさせるようにしている。但し、ゲイン低減量が減少している途中で、偏差が大となり大きなゲイン低減量が設定されると、その新たなゲイン低減量が対象となって、新たなゲイン低減量が設定されてから設定経過時間が経過する間、漸次小さくさせることになる。
【００６２】
〔別実施形態〕
（１）上記実施形態では、偏差の大きさに応じて比例要素に対するゲインの低減量を定め、且つ、偏差を求めた時点から設定経過時間が経過するまでの間、低減量を漸次、小さくさせる構成としたが、このような構成に代えて、偏差を求めた時点から設定経過時間が経過するまでの間、一定の大きさのゲイン低減量を設定するようにしてもよく、又、低減量を小さくさせる時間を、偏差の大きさに応じて適宜変更させるようにしてもよい。
【００６３】
（２）上記実施形態では、ローリング操作手段として電動モータであるローリングモータ７を用いるものを示したが、電動モータに代えて、油圧シリンダ等の他の種類のアクチュエータを用いるものでもよい。
【００６４】
（３）上記実施形態では、ローリング操作手段としてのローリングモータ７が融通用スプリング４１を介して苗植付装置５に接続されるものを示したが、ローリング操作手段を直接に作業装置に接続するようにしてもよい。
【００６５】
（４）上記実施形態では、作業機として苗植付装置を備える田植機を示したが、本発明は、播種装置を備えた直播機、耕耘装置を備えたトラクター、芝刈り装置を備えた芝刈り機等、種々の作業機に適用することができる。
【産業上の利用可能性】
【００６６】
本発明は、乗用型田植機等のように、走行機体に左右傾斜姿勢を変更自在に作業装置が連結され、作業装置の左右傾斜姿勢を変更操作自在なローリング操作手段を備えた作業機に適用できる。
【符号の説明】
【００６７】
３          走行機体
４          リンク機構
５          作業装置
７          ローリング操作手段
４１        融通用スプリング
４２        傾斜角検出手段
４５        制御手段
【図１】
2015177753.tif 000003
【図２】
2015177753.tif 000004
【図３】
2015177753.tif 000005
【図４】
2015177753.tif 000006
【図５】
2015177753.tif 000007
【図６】
2015177753.tif 000008
【図７】
2015177753.tif 000009